(57)【要約】【課題】自由曲面ミラーを高精度で実現する形状を提供すること。【解決手段】一眼レフカメラのファインダーに使用される中空ペンタミラーにおいて、ダハミラーからの光をファインダーレンズに向けて反射する反射鏡において、前記反射鏡が光学反射面と取り付けの為のミラー基準面が不連続で構成されている事を特徴とする構成とした。【選択図】  図１
2013142886.tif 000002
【特許請求の範囲】
【請求項１】
一眼レフカメラのファインダーに使用される中空ペンタミラー(3)において、ダハミラー(2)からの光をファインダーレンズに向けて反射する反射鏡(1)において、
前記反射鏡が光学反射面(1a)と取り付けの為のミラー基準面(1b)が不連続で構成されている事を特徴とするファインダー光学部材。
【請求項２】
前記反射面(1a)は凹面に近似した自由曲面であり、前記取り付けの為のミラー基準面(1b)は平面である事を特徴とする請求項１に記載のファインダー光学部材。
【請求項３】
前記反射面(1a)の最も低い部分の厚みが、前記取り付けの為のミラー基準面(1b)と同一厚みになっている事を特徴する請求項２に記載のファインダー光学部材。
【発明の詳細な説明】
【技術分野】
【０００１】
本発明は、光学部材の形状に関し、特に一眼レフカメラのファインダーに用いられる自由曲面ミラーに関するものである。
【背景技術】
【０００２】
従来、一眼レフカメラのファインダーのペンタプリズムのかわりにミラーを組み合わせた、所謂ペンタダハミラーを用いたファインダー光学系が種々と提案されている。
【０００３】
例えば、特許文献１ではペンタダハミラーと反射ミラーとの組み合わせにより、中空ペンタミラーを構成する例が開示されている。
【０００４】
特許文献２ではファインダー倍率を上げるために、ペンタダハミラーと自由曲面ミラーの組み合わせにより、中空ペンタミラーを構成する技術が開示されている。
【先行技術文献】
【特許文献】
【０００５】
【特許文献１】特開2006-201456号公報
【特許文献２】特開2008-15475号公報
【発明の概要】
【発明が解決しようとする課題】
【０００６】
しかしながら、上述の特許文献に開示された従来技術では、自由曲面ミラーを実現するための実際の形状が開示されていない。
【０００７】
そこで、本発明の目的は、自由曲面ミラーを高精度で実現する形状を提供することである。
【課題を解決するための手段】
【０００８】
上記目的を達成するために、本発明は、一眼レフカメラのファインダーに使用される中空ペンタミラーにおいて、ダハミラーからの光をファインダーレンズに向けて反射する反射鏡において、前期反射鏡が光学反射面と取り付けの為のミラー基準面が不連続で構成されている事を特徴とする。
【発明の効果】
【０００９】
本発明によればダハミラーとの取り付け精度が向上するとともに、光学反射面のマスキングの精度が確保される反射鏡を提供することができる。
【図面の簡単な説明】
【００１０】
【図１】自由曲面ミラーの正面図
【図２】中空ペンタミラーの正面図
【図３】中空ペンタミラーの側面図
【図４】中空ペンタミラーの断面図
【図５】中空ペンタミラーの分解斜視図
【図６】ペンタダハミラーのI視図
【図７】自由曲面ミラーのJ視図
【図８】自由曲面ミラーのA-A断面図
【図９】自由曲面ミラーのD-D断面図
【図１０】本発明を用いたカメラの断面図
【発明を実施するための形態】
【００１１】
［実施例１］
以下、図1〜図10を参照して、本発明の実施例による、自由曲面ミラーについて説明する。
【００１２】
図1において、1は自由曲面ミラーで、自由曲面ミラー1はモールド成型で形状が作られている。
【００１３】
自由曲面ミラー1は、反射面1aが自由曲面で構成されている。反射面1aは、高反射アルミ蒸着が施され、反射率が高くなっている。
【００１４】
自由曲面ミラー1は反射面以外の領域の遮光性を確保する為に、遮光性を持つ黒色の材料で構成されている。
【００１５】
1bは自由曲面ミラー1のミラー基準面で、ミラー基準面1bは平面で構成されている。
【００１６】
図2〜4は自由曲面ミラー1をペンタダハミラー2に接着により固定し、中空ペンタミラー3を構成した組立図である。
【００１７】
図2は正面図、図3は側面図、図4は図2に指示された断面E-E図である。
【００１８】
図5は図2〜4の中空ペンタミラー3の分解斜視図である。
【００１９】
図6は図5におけるペンタダハミラー2のI視図である。
【００２０】
図7は図5における自由曲面ミラー1のJ視図である。
【００２１】
図5で指示されている1cは自由曲面ミラー1の図3におけるF方向の位置を決める自由曲面ミラー第１の付き当て面で、ペンタダハミラー2に設けられた、図6にて指示されているダハミラー第１の付き当て面2cに当接する。
【００２２】
図7で指示されている1dは自由曲面ミラー1の図2におけるG方向の位置を決める自由曲面ミラー第２の付き当て面で、ペンタダハミラー2に設けられた、図5と図6にて指示されているダハミラー第２の付き当て面2dに当接する。
【００２３】
図7で指示されている自由曲面ミラー第１の付き当て面1cと自由曲ミラー第２の付き当て面1dの間隔L1と、図6で指示されているダハミラー第１の付き当て面2cとダハミラー第２の付き当て面2dの間隔L2は、嵌合関係になっており、各々が嵌合する事で自由曲面ミラー1と、ペンタダハミラー2のF・G方向の位置が決定される。
【００２４】
図5において、1eは自由曲面ミラー1の図2におけるH方向の位置を決める自由曲面ミラー第１の位置決め突起で、ペンタダハミラー2に設けられたダハミラー第１の位置決め溝2eに嵌合し、自由曲面ミラー1とペンタダハミラー2のC方向の位置が決定される。
【００２５】
図7で指示されている1fは自由曲面ミラー1上のミラー基準面1b内にある高さ基準面で、図6で指示されているペンタダハミラー2上に設けられた高さ基準面2fと当接し、自由曲面ミラー1の高さを規定する。
【００２６】
上記構成により、自由曲面ミラー1とペンタダハミラー2は位置決め固定される。
【００２７】
図8は図1の断面A-A図である。
【００２８】
図8において、Tはミラー基準面1b部の厚みを示している。反射面1aは凹面であり、最も薄い部分の厚みTaがTに略同一になっている。
【００２９】
本実施例では、T=Ta=1.8(mm)に設定している。
【００３０】
反射面1a部の最薄部の厚みをTaとすると、
T-T*0.3≦Ta
Ta≦T+T*0.3
の範囲に設定する事が望ましい。
【００３１】
型で成形する場合、広範囲にわたり50%以上の偏肉があると面精度が崩れる場合が多く、成形上良好な面を得る為には偏肉は30%以下に抑えておく事が望ましい。よって、上記条件を満たしておれば、面精度を保たれた良好な反射面が得られる。
【００３２】
今後の成形技術進歩によれば、上記条件は緩和されていく可能性がある事は言うまでもない。
【００３３】
図9は図1の断面D-D図である。
【００３４】
図8、図9に示されている様に、反射面1aとミラー基準面1bは段差を持った不連続面で構成されている。
【００３５】
この為、自由曲面ミラー1を貼りつけるペンタダハミラー2の高さ基準面2fは平面で構成する事が可能となり、高さ基準面2fの精度が向上する。
【００３６】
また、反射面1aに高反射アルミ蒸着を施す時に、ミラー基準面1bとの間が不連続であるので、蒸着マスクの密着性が確実に保たれる。その為、ミラー基準面1bに不要な反射面が生じる事が無く、ゴーストの発生を防止する事が可能となる。
【００３７】
図10は本発明の自由曲面ミラー1を適用したデジタル一眼レフカメラの断面図である。
【００３８】
図10において、4はデジタル一眼レフカメラ本体である。
【００３９】
5は不図示の交換レンズが装着されるカメラマウント、6はミラーボックスで、カメラマウント5が固定されている。
【００４０】
7は不図示の交換レンズと信号の授受を行う接点ブロックで、ミラーボックス6に固定されている。
【００４１】
8はカメラシャーシで、プレス金属で構成されている。
【００４２】
9はメインミラーで、ファインダー観察時には図10の位置に、撮影時には上方に退避する。メインミラー9は半透過ミラーで構成されている。
【００４３】
10はサブミラーで、メインミラー9から透過された一部の光束をAFユニット11に導く。
【００４４】
サブミラー10もメインミラー9と同様に、撮影時には上方に退避する。
【００４５】
AFユニット11は位相差検出方式でデフォーカス量を検出する。
【００４６】
12は縦走り式のフォーカルプレーンシャッター、13は撮像素子である。
【００４７】
14はファインダーユニットで、ミラーボックス6に固定されている。
【００４８】
ファインダーユニット14には、自由曲面ミラー1とペンタダハミラー2により構成された中空ペンタミラー3が保持されている。
【００４９】
15はピント板で、ファインダーユニット14に保持されている。
【００５０】
16〜19はファインダーレンズである。
【００５１】
ファインダーレンズ16はファインダーユニット14に保持されている。
【００５２】
ファインダーレンズ17は視度調整用の可動レンズでファインダーレンズ16との間隔が調整可能に保持されている。
【００５３】
20はアイピースカバーで、アイピースカバー20にファインダーレンズ18とファインダーレンズ19が保持されている。
【００５４】
アイピースカバー20はファインダーユニット14に固定されている。
【００５５】
21はファインダー内の情報表示用の表示素子、22は表示素子の表示内容をファインダー光路内に導く為のプリズムである。
【００５６】
23は測光センサー24にファインダー光束からやぶにらみの位置に配置された測光レンズプリズムである。
【００５７】
25は測距位置を示すスーパーインポーズ用の光束を導くレンズである。
【００５８】
以上、本発明の好ましい実施形態について説明したが、本発明はこれらの実施形態に限定されず、その要旨の範囲内で種々の変形及び変更が可能である。
【符号の説明】
【００５９】
1は自由曲面ミラー
1aは自由曲面ミラー1の反射面
1bは自由曲面ミラー1のミラー基準面
2はペンタダハミラー
Tは自由曲面ミラー1のミラー基準面1b部の厚さ
【図１】
2013142886.tif 000003
【図２】
2013142886.tif 000004
【図３】
2013142886.tif 000005
【図４】
2013142886.tif 000006
【図５】
2013142886.tif 000007
【図６】
2013142886.tif 000008
【図７】
2013142886.tif 000009
【図８】
2013142886.tif 000010
【図９】
2013142886.tif 000011
【図１０】
2013142886.tif 000012